(57)【要約】      （修正有）【課題】濡れた髪と乾いた髪の両方に使いやすいヘアアイロンを提供する。【解決手段】ヘアアイロンは、ロッド部と、ハンドル部と、レバーを有するクランプ部とを備えている。クランプ部は、レバーの操作によって開位置と閉位置との間で移動を許容するようにロッド部に揺動可能に接続されており、ロッド部の表面部分に対向する対向表面部分を有している。クランプ部の対向表面部分は、クランプ部がロッド部に対して閉位置に配置されたときにロッド部の表面部分と噛み合わせられるように設けられ、ロッド部およびクランプ部の表面部分は、これら表面部分の間に髪の毛の一部を受け入れて、そこで髪の毛にスタイリング効果を与えるように設けられている。クランプ部は、さらに、該クランプ部の表面部分のエッジに沿って複数の通気孔を有している。ロッド部は、その軸方向に沿う少なくとも１つの溝を有している。【選択図】図１Ａ
0003165668.tif 000002
【実用新案登録請求の範囲】
【請求項１】
ロッド部と、
ハンドル部と、
レバーを有し、該レバーの操作によって開位置と閉位置との間での移動を許容するように前記ロッド部に揺動可能に接続されたクランプ部とを備え、
該クランプ部が、前記ロッド部の表面部分に対向する対向表面部分を有し、
前記クランプ部が前記ロッド部に対して前記閉位置に配置されたときに、前記クランプ部の前記対向表面部分が、前記ロッド部の前記表面部分に噛み合わせられるように設けられ、
前記ロッド部および前記クランプ部の前記表面部分が、これらの表面部分の間に髪の毛の一部を受け入れて、そこで該髪の毛に対してスタイリング効果を与え、
前記クランプ部が、さらに、該クランプ部の前記表面部分のエッジに沿って複数の通気孔を有するヘアアイロン。
【請求項２】
前記ロッド部が円筒形状を有し、さらに、該ロッド部の軸に沿って、少なくとも１つの溝が設けられている請求項１に記載のヘアアイロン。
【請求項３】
前記ロッド部が円錐形状を有し、さらに、該ロッド部の軸に沿って、少なくとも１つの溝が設けられている請求項１に記載のヘアアイロン。
【請求項４】
前記ロッド部が逆円錐形状を有し、さらに、該ロッド部の軸に沿って、少なくとも１つの溝が設けられている請求項１に記載のヘアアイロン。
【請求項５】
前記ロッド部の前記表面部分が、トルマリンである請求項１に記載のヘアアイロン。
【請求項６】
前記ロッド部の前記表面部分が、セラミックである請求項１に記載のヘアアイロン。
【請求項７】
前記ロッド部の前記表面部分が、チタニウムである請求項１に記載のヘアアイロン。
【請求項８】
前記ロッド部の前記表面部分が、ポリテトラフルオロエチレンである請求項１に記載のヘアアイロン。
【請求項９】
前記ロッド部の前記表面部分が、金属である請求項１に記載のヘアアイロン。
【考案の詳細な説明】
【技術分野】
【０００１】
本考案は、濡れた髪や乾いた髪に用いることができるカーリングまたはスタイリング用へアイロンに関するものである。
【背景技術】
【０００２】
カーリングまたはスタイリング用ヘアアイロンは、一般的に新規なものではない。多くのカーリングまたはスタイリング用ヘアアイロンは、ハンドルから延在する筒状の円筒部またはロッドを備える。一般的に、髪はロッドの周りに巻かれる。ロッド内に固定されているのは、発熱体である。
髪固定クランプは、ロッドのほとんどの長さ部分に沿って延在し、ばねの働きによりロッドに押し付けられる。通常、クランプは、ハンドルのレバーにより、ロッドから離間するように揺動させられる。
【考案の概要】
【考案が解決しようとする課題】
【０００３】
本考案は、濡れた髪と乾いた髪の両方に使用しやすいよう改良されたカーリングまたはスタイリング用ヘアアイロンを提供する。
【０００４】
改良されたヘアアイロンは、濡れた髪からの蒸気を放出するための、前記ヘアアイロンのクランプ上に設けられた蒸気孔部と、ロッド部上に設けられた蒸気溝とを含む。
【課題を解決するための手段】
【０００５】
本考案のヘアアイロンは、以下の手段を採用する。
すなわち、本発明の一態様にかかるヘアアイロンは、ロッド部と、ハンドル部と、レバーを有し、該レバーの操作によって開位置と閉位置との間での移動を許容するように前記ロッド部に揺動可能に接続されたクランプ部とを備え、該クランプ部が、前記ロッド部の表面部分に対向する対向表面部分を有し、前記クランプ部が前記ロッド部に対して前記閉位置に配置されたときに、前記クランプ部の前記対向表面部分が、前記ロッド部の前記表面部分に噛み合わせられるように設けられ、前記ロッド部および前記クランプ部の前記表面部分が、これらの表面部分の間に髪の毛の一部を受け入れて、そこで該髪の毛に対してスタイリング効果を与え、前記クランプ部が、さらに、該クランプ部の前記表面部分のエッジに沿って複数の通気孔を有する。
【０００６】
また、上述のヘアアイロンにおいて、前記ロッド部が円筒形状を有し、さらに、該ロッド部の軸に沿って、少なくとも１つの溝が設けられていることとしてもよい。
【０００７】
また、上述のヘアアイロンにおいて、前記ロッド部が円錐形状を有し、さらに、該ロッド部の軸に沿って、少なくとも１つの溝が設けられていることとしてもよい。
【０００８】
また、上述のヘアアイロンにおいて、前記ロッド部が逆円錐形状を有し、さらに、該ロッド部の軸に沿って、少なくとも１つの溝が設けられていることとしてもよい。
【０００９】
また、上述のヘアアイロンにおいて、前記ロッド部の前記表面部分が、トルマリンであることとしてもよい。
【００１０】
また、上述のヘアアイロンにおいて、前記ロッド部の前記表面部分が、セラミックであることとしてもよい。
【００１１】
また、上述のヘアアイロンにおいて、前記ロッド部の前記表面部分が、チタニウムであることとしてもよい。
【００１２】
また、上述のヘアアイロンにおいて、前記ロッド部の前記表面部分が、ポリテトラフルオロエチレンであることとしてもよい。
【００１３】
また、上述のヘアアイロンにおいて、前記ロッド部の前記表面部分が、金属であることとしてもよい。
【考案の効果】
【００１４】
本考案による一つの利点は、濡れた髪から蒸気を放出することができるので、髪のスタイリングがより速い速度で行えることである。
さらに別の利点は、髪をより速い速度で乾かせることである。
【図面の簡単な説明】
【００１５】
【図１Ａ】図１Ａは、本考案に係る改良されたヘアアイロンの正面図である。
【図１Ｂ】図１Ｂは、図１Ａに示された本考案に係る改良されたヘアアイロンの右側面図である。
【図１Ｃ】図１Ｃは、図１Ａに示された本考案に係る改良されたヘアアイロンの背面図である。
【図１Ｄ】図１Ｄは、図１Ａに示された本考案に係る改良されたヘアアイロンの左側面図である。
【図２Ａ】図２Ａは、本考案に係る改良されたヘアアイロンの背面図である。
【図２Ｂ】図２Ｂは、図２Ａに示された本考案に係る改良されたヘアアイロンの左側面図である。
【図３Ａ】図３Ａは、本考案に係る改良されたヘアアイロンを開状態にした場合の斜視図である。
【図３Ｂ】図３Ｂは、本考案に係る改良されたヘアアイロンを閉状態にした場合の斜視図である。
【考案を実施するための形態】
【００１６】
本考案の実施形態が図示されている添付図面には、参照符号が付されている。
可能な限り、図面中および明細書中の同一または類似の部材および同一または類似のステップには、同一または類似の符号を付している。
なお、図面は、単純化して描かれており、正確な縮尺ではない。
利便性および明瞭性の目的のみで、上面、下面、上方、下方、上部、上側、下方、左、右などの、方向を示す用語が図面に関して用いられている。これらの、または類似の方向を示す用語は、いかなる場合であっても考案の範囲を限定すると理解されるべきものではない。
「接続」、「結合」および、これらの語形変化形態の類似用語は、必ずしも直接的に即座に接続することを意味するとは限らないが、しかし、間接的な部材や器具を通して接続されるものを含む。
【００１７】
図面において、特に図１Ａ中、カーリングまたはスタイリング用ヘアアイロン１０は、ロッド部３０と、クランプ５０と、ハンドル部８０と、レバー２０とを備えている。
よく知られているように、ロッド部３０は、一般的に、発熱体（図示せず）を収納し、ＰＴＦＥ（ポリテトラフルオロエチレン）、セラミック、トルマリン、金属、または、チタニウムのいずれかにより構成される。ロッド形状は、円筒状、円錐状、または、逆円錐状に形成され、ヘアアイロンは、取り付けブラシまたは、二重、および三重の円筒部を有することができる。
よく知られているように、一般的に、電力は、コード４０のような電源コードにより供給される。
カーリングまたはスタイリング用ヘアアイロン１０はまた、髪を挿入するためのクランプ５０を、ロッド３０から離間するよう揺動するばね付きレバー２０を有する。
よく知られているように、電力は、電源コード４０を介して供給される。
【００１８】
図３Ａに明瞭に示されるように、クランプ５０は、孔９０を備えている。同様に、ロッド３０は、溝１００を備えている。
図３Ｂに示されるように、濡れた髪６０が、クランプ５０と加熱されたロッド３０との間に保持され、それにより蒸気が生成され、孔９０と溝１００は、蒸気を、蒸気出口方向７０に逃がす。
【００１９】
当然のことながら、当業者に自明である変形や改変は、本考案の技術思想の範囲を逸脱しない限り、考慮される。
たとえば、図面に示されているような特定のスイッチやバイアス装置は、同様の器具により代用可能である。
したがって、本考案には全てのこのような代替、改変、および変更が包含される。
【図１Ａ】
0003165668.tif 000003
【図１Ｂ】
0003165668.tif 000004
【図１Ｃ】
0003165668.tif 000005
【図１Ｄ】
0003165668.tif 000006
【図２Ａ】
0003165668.tif 000007
【図２Ｂ】
0003165668.tif 000008
【図３Ａ】
0003165668.tif 000009
【図３Ｂ】
0003165668.tif 000010